(57)【要約】【課題】用紙サイズの変更があっても交換作業を要することなく、排紙揃えの最適設定を容易に行うことができる排紙収納装置を提供する。【解決手段】エンドフェンス本体７７は、大きいサイズ（Ａ３〜Ｂ５）の用紙３Ａに対応する面７７Ａ、７７Ｂと、小さいサイズ（葉書、封筒等）の用紙３Ｂに対応する面７７Ｃ、７７Ｄを有し、且つ、垂直軸回りに回転可能に設けられている。さらに面７７Ａと７７Ｂ、面７７Ｃと７７Ｄは、厚紙、薄紙に対応すべく衝撃吸収部材の弾性率が異なっている。排出される用紙が葉書や封筒等の場合には、エンドフェンス本体７７を回転させ、エンドフェンス本体７７及びサイドフェンス７６Ａ、７６Ｂをそれぞれ最適な位置に調整する。【選択図】図４
2007204213.tif 000002
【特許請求の範囲】
【請求項１】
排出される画像形成済みの用紙が順次積載される排紙台と、該排紙台に設けられ排出方向に位置調整可能なエンドフェンスと、排出方向と直交する用紙幅方向に位置調整可能で対向する一対のサイドフェンスとを備えた排紙収納装置において、
前記エンドフェンスは用紙幅に対応する幅が異なる複数の面を有し、且つ、垂直軸回りに回転可能に設けられていることを特徴とする排紙収納装置。
【請求項２】
請求項１に記載の排紙収納装置において、
前記エンドフェンスの各面は衝撃吸収部材を有していることを特徴とする排紙収納装置。
【請求項３】
請求項２に記載の排紙収納装置において、
前記各面における衝撃吸収部材の弾性率が異なることを特徴とする排紙収納装置。
【請求項４】
請求項１乃至３のうちのいずれかに記載の排紙収納装置において、
用紙情報に基づいて前記エンドフェンスの複数の面のうちの一つを自動的に設定する構成を有していることを特徴とする排紙収納装置。
【請求項５】
請求項１乃至４のうちのいずれかに記載の排紙収納装置において、
印刷速度に応じて前記エンドフェンスの排出方向の角度を調整できる角度調整機構を有していることを特徴とする排紙収納装置。
【請求項６】
請求項１乃至５のうちのいずれかに記載の排紙収納装置を有する画像形成装置。
【発明の詳細な説明】
【技術分野】
【０００１】
本発明は、排出されるシート、転写材、記録材等の用紙を積載する排紙収納装置、及びこれを備えた印刷装置、複写機、プリンタ、ファクシミリ、プロッタ、これらの複合機等の画像形成装置に関する。
【背景技術】
【０００２】
従来、画像形成装置に接続され、画像形成済みの用紙を積載する排紙収納装置としては、図１４に示すような構成のものが知られている。図１４において排紙収納装置８は、画像形成装置１の用紙搬送ユニット（吸着搬送ユニット）２によって矢印Ｅ方向へ搬送・排出された用紙３を積載・収納する排紙台４と、エンドフェンス６と、一対のサイドフェンス７Ａ、７Ｂとを有している。
排紙台４は、その排出方向後端部が支持軸５によって画像形成装置１に支持されており、画像形成装置１の内部へ折り畳んで収納することが可能に構成されている。
【０００３】
エンドフェンス６は用紙３の排出方向（矢印Ｙ方向）に図示しない調整機構により位置調整可能に設けられており、各サイドフェンス７Ａ、７Ｂは用紙３の排出方向と直交する用紙３の幅方向（矢印Ｘ方向）に図示しない調整機構により同期して位置調整可能に設けられている。また、エンドフェンス６と各サイドフェンス７Ａ、７Ｂは排紙台４の内方へ向けて折り畳み可能に設けられている。
用紙搬送ユニット２から排出される用紙３は、その排出方向先端がエンドフェンス６に衝突し、排紙台４上に落下する。
エンドフェンス６への衝突時に用紙が撓んで落下が不安定となる場合があるため、これを防止すべく、エンドフェンス６の突き当て面に衝撃吸収部材を設けることも行われている。
【０００４】
【特許文献１】特開平９−２０８１０８号公報
【特許文献２】特開平１０−５９６０８号公報
【発明の開示】
【発明が解決しようとする課題】
【０００５】
図１５（ａ）に示すように、排出される用紙はエンドフェンス６に衝突して落下するが、エンドフェンス６の幅Ｗは、大きいサイズの用紙の積載時には広い方が排紙揃えが良くなる。したがって、エンドフェンス６の幅Ｗは大きいサイズの用紙に合わせて設定されている。
大きいサイズの用紙３Ａの場合、エンドフェンス６の位置はサイドフェンス７Ａ、７Ｂの間において排出方向の任意の適正位置に設定することができる。
このような設定において、葉書や封筒等の小さいサイズの用紙３Ｂを使用する場合、図１５（ｂ）に示すように、用紙３Ｂのサイズに応じてサイドフェンス７Ａ、７Ｂを位置合わせしようとすると、エンドフェンス６はサイドフェンス７Ａ、７Ｂと接触しない下流位置に位置付けせざるを得ない。この状態で排出がなされると、用紙３Ｂの先端がエンドフェンス６に突き当たるまでの距離が大きくなり、用紙３Ｂに適正なエンドフェンスの設定位置を確保することができず、排紙揃えは悪くなる。
【０００６】
この問題を解決するためには、小さいサイズの用紙専用の排紙収納装置に交換するか、あるいはエンドフェンス６を小さいサイズの用紙専用のものに交換する必要がある。
しかしながら、このような交換方式とした場合、交換作業が面倒であるとともに、使用しない部材の保管等が煩わしくなる。
【０００７】
そこで、本発明は、用紙サイズの変更があっても交換作業を要することなく、
排紙揃えの最適設定を容易に行うことができる排紙収納装置、該排紙収納装置を有する画像形成装置の提供を、その主な目的とする。
【課題を解決するための手段】
【０００８】
上記目的を達成するために、請求項１に記載の発明では、排出される画像形成済みの用紙が順次積載される排紙台と、該排紙台に設けられ排出方向に位置調整可能なエンドフェンスと、排出方向と直交する用紙幅方向に位置調整可能で対向する一対のサイドフェンスとを備えた排紙収納装置において、前記エンドフェンスは用紙幅に対応する幅が異なる複数の面を有し、且つ、垂直軸回りに回転可能に設けられていることを特徴とする。
【０００９】
請求項２に記載の発明では、請求項１に記載の排紙収納装置において、前記エンドフェンスの各面は衝撃吸収部材を有していることを特徴とする。
【００１０】
請求項３に記載の発明では、請求項２に記載の排紙収納装置において、前記各面における衝撃吸収部材の弾性率が異なることを特徴とする。
【００１１】
請求項４に記載の発明では、請求項１乃至３のうちのいずれかに記載の排紙収納装置において、用紙情報に基づいて前記エンドフェンスの複数の面のうちの一つを自動的に設定する構成を有していることを特徴とする。
【００１２】
請求項５に記載の発明では、請求項１乃至４のうちのいずれかに記載の排紙収納装置において、印刷速度に応じて前記エンドフェンスの排出方向の角度を調整できる角度調整機構を有していることを特徴とする。
【００１３】
請求項６に記載の発明では、画像形成装置において、請求項１乃至５のうちのいずれかに記載の排紙収納装置を有することを特徴とする。
【発明の効果】
【００１４】
本発明によれば、用紙のサイズに拘わらず安定した排紙揃えを得ることができる。用紙のサイズ毎に専用のエンドフェンスに交換する等の必要がなく、作業の向上を図ることができる。
また、用紙衝突時の最適な衝撃吸収性を得ることができ、安定した落下性、排紙揃えを得ることができる。
【発明を実施するための最良の形態】
【００１５】
以下、本発明の第１の実施形態を図１乃至図１０に基づいて説明する。
まず、図１に基づいて本実施形態における画像形成装置としての孔版印刷装置の構成の概要を説明する。孔版印刷装置６０は、外周面にクランパ６１を有するとともに内部に図示しないインキ供給手段を有する版胴６２、版胴６２の外周面より使用済みのマスタを剥離する排版部６３、図示しない画像読取部からの画像情報に基づいてマスタを製版し製版されたマスタを版胴６２に供給する製版部６４、版胴６２に向けて用紙３を給送する給紙部６５、給紙部６５より給送された用紙３を版胴６２に押圧するプレスローラ６６、印刷済みの用紙３を搬送する用紙搬送ユニット６７、用紙搬送ユニット６７によって搬送された印刷済みの用紙３を収納積載する排紙収納装置６８等を有している。これらの構成のうち、排紙収納装置６８以外は周知の構成であるので、以下に簡単に説明する。
【００１６】
給紙部６５は、昇降可能な給紙台６９、給紙台６９上の用紙３を最上位のものから１枚ずつ分離給送する給紙ローラ７０及び分離ローラ７１、分離給送された用紙３を所定のタイミングで版胴６２とプレスローラ６６との間に向けて給送するレジストローラ対７２等を有している。製版部６３からは製版されたマスタが版胴６２に向けて送られ、このマスタはその先端をクランパ６１で挟持された後に版胴６２の回転によって版胴６２の外周面上に巻装される。
製版済みマスタの版胴６２への巻装後、給紙部６５より１枚の用紙３が給送され、この用紙３はレジストローラ対７２によって版胴６２へ向けて給送される。レジストローラ対７２の給紙タイミングと同期してプレスローラ６６が揺動し、用紙３を版胴６２の外周面に押圧する。この押圧動作により、図示しないインキ供給手段によって版胴６２の内周面に供給されたインキが版胴６２の開口部及びマスタ穿孔部を介して用紙３に転写される。
【００１７】
画像を転写された用紙３は図示しない剥離部材によって版胴６２の外周面より剥離され、用紙搬送ユニット６７によって吸着搬送される。用紙搬送ユニット６７によって搬送された用紙３は装置本体７３の外部に排出され、排紙収納装置６８に順次積載収納される。
排紙収納装置６８は、排紙台７４、エンドフェンス７５、一対のサイドフェンス７６Ａ、７６Ｂを有している。エンドフェンス７５は用紙３の排出方向と同方向に位置調整可能であり、各サイドフェンス７６Ａ、７６Ｂは用紙３の排出方向と直交する用紙幅方向において位置調整可能である。各フェンス７５、７６Ａ、７６Ｂの位置調整機構は、従来と同様の周知の構成である。
【００１８】
エンドフェンス７５は、図２に示すように、水平断面が長方形状のエンドフェンス本体７７、排紙台７４上の図示しない調整機構に取り付けるためのエンドフェンスブラケット７８、角度調整機構７９、回転機構８０等を有している。図２は、標準サイズ用紙に対応した状態を示している。
エンドフェンス本体７７は、大きいサイズ（標準サイズ；Ａ３〜Ｂ５）の用紙に対応する突き当て面７７ａ、７７ｂ、小さいサイズ（葉書、封筒等）の用紙に対応する突き当て面７７ｃ、７７ｄを有し、各突き当て面にはハッチングで表示される衝撃吸収部材７７Ａ、７７Ｂ、７７Ｃ、７７Ｄが設けられている。
衝撃吸収部材７７Ｂ、７７Ｄは薄紙に対応した弾性率（高硬度）を有しており、薄紙を排出したときの衝突時の衝撃吸収性を高め、衝突時の衝撃により用紙が撓んで用紙の落下が不安定になることを抑制する。
【００１９】
これに対し、衝撃吸収部材７７Ａ、７７Ｃは、厚紙、標準紙に対応した、薄紙対応の弾性率よりも高い弾性率（低硬度）を有し、同様の落下不安定抑制機能を有している。薄紙対応の弾性率では衝撃力が強すぎて衝撃吸収が不完全となってしまい、用紙の跳ね返り等による排紙揃えの悪化を促してしまうからである。
ここでの「衝撃吸収部材」は、エンドフェンス本体７７に対して別体として付加する構成は勿論のこと、エンドフェンス本体７７の各面の表層自体を処理して衝撃吸収性を与えた場合も含む概念である。例えば、エンドフェンス本体７７をゴム質系材料で構成し、各面を処理して弾性率を異ならせる場合等も含む。
【００２０】
図３に示すように、角度調整機構７９は、角度調整ブラケット４３、角度調整ねじ４４、目印ブラケット４５等を有している。角度調整機構７９の詳細は後述する。
回転機構８０は、回転基準ブラケット１０、回転基準ブラケット１０に固定された谷の噛合部１１、回転基準ブラケット１０に噛合部１１の中心で固定された垂直軸としての回転基準軸１２、回転基準軸１２に挿通されるとともにエンドフェンス本体７７の下面に固定されて噛合部１１に噛み合う山の噛合部１３、エンドフェンス本体７７の底面と回転基準軸１２のストッパ部１２ａとの間に設定されたスプリング１４等を有している。
すなわち、エンドフェンス本体７７はスプリング１４により回転基準ブラケット１０に押し付けられ、スプリング１４は回転基準軸１２のストッパ部１２ａにより押えられている。回転基準軸１２はスプリング１４及びエンドフェンス本体７７を挟み込んで回転基準ブラケット１０に固定されている。
【００２１】
回転基準ブラケット１０と角度調整ブラケット４３はピン１５で一体に連結固定され、エンドフェンスブラケット７８と回転基準ブラケット１０は、エンドフェンスブラケット７８の垂直片７８ａを介してピン１６で回動可能に連結されている。
従って、エンドフェンス本体７７はエンドフェンスブラケット７８に対し、ピン１６と角度調整ねじ４４との２点支持となっている。エンドフェンスブラケット７８は排紙台７４に用紙排出方向と平行な方向に移動自在に支持されている。
回転基準ブラケット１０の用紙排出方向側には、衝撃吸収部材７７Ａ又は７７Ｂと面一状態で下方に連続的に延び、エンドフェンスブラケット７８と衝撃吸収部材７７Ａ又は７７Ｂ間における用紙進入防止機能を有する延長ブラケット１７が固定されている。
エンドフェンス本体７７は、図示しない付勢手段によって図３において反時計回り方向に付勢されている。
【００２２】
エンドフェンス７５を小さいサイズの用紙に対応させたい場合には、例えば図４（ａ）に示す状態から、図４（ｂ）に示すようにエンドフェンス本体７７を９０°回転させ、サイドフェンス７６Ａ、７６Ｂとエンドフェンス７５を小さいサイズの用紙（薄紙）３Ｂの排出に適正な位置に位置付ける。
図５に示すように、エンドフェンス本体７７を回転するように力を加えると、スプリング１４を縮めながら噛合部１３の歯面が噛合部１１の歯面を乗り越え、次の山と谷が噛み合う位置で止めると、９０°回転した位置となる。図６は、その状態を示している。標準サイズよりも小さいサイズ（葉書、封筒等）対応時のエンドフェンス本体７７は回転基準ブラケット１０の位置（延長ブラケット１７の位置）よりも前（排出方向上流側）に衝撃吸収部材７７Ｃ又は７７Ｄが位置するようになってしまうため、衝撃吸収部材７７Ｃ、７７Ｄは回転基準ブラケット１０との位置の差を補うため下方に延長している。
小さいサイズの用紙３Ｂが厚紙の場合には逆向きに９０°回転させる。図４（ａ）に示す状態から、同じ大きいサイズの用紙３Ａで弾性率を変える場合には１８０°（２山）回転させる。
【００２３】
次に、角度調整機構７９について詳細に説明する。
図７に示すように、金属板を折り曲げて形成された角度調整ブラケット４３は取付部４３ａを有しており、この取付部４３ａを回転基準ブラケット１０の裏面にねじ止め、接着等の適宜の方法によって固定されている。
角度調整ブラケット４３の、取付部４３ａと連続して立ち曲げられた上面４３ｂには角度調整ねじ４４に螺合するねじ部４３ｃが、上面４３ｂと連続し取付部４３ａと平行な平面部４３ｄには窓部４３ｅが、平面部４３ｄと連続し上面４３ｂと平行な下面４３ｆには角度調整ねじ４４が貫通する図示しない穴部がぞれぞれ設けられている。
角度調整ねじ４４はねじ部４４ａとつまみ部４４ｂとを有しており、ねじ部４４ａを角度調整ブラケット４３のねじ部４３ｃに螺合させた状態でその先端部４４ｃをエンドフェンスブラケット７８の上面に当接させている。
【００２４】
この構成により、つまみ部４４ｂを回して角度調整ねじ４４をねじ込み、下面４３ｆからの角度調整ねじ４４の突出量を大きくすると、エンドフェンス本体７７が図３において時計回り方向に傾き、下面４３ｆからの角度調整ねじ４４の突出量を小さくすると、エンドフェンス本体７７が図３において反時計回り方向に傾く。
角度調整ねじ４４のねじ部４４ａの中程には目印ブラケット４５が取り付けられている。目印ブラケット４５は、図８に示すように、窓部４３ｅに嵌入する指示部４５ａを有しており、指示部４５ａよりも幅広に形成された基部４５ｂは、図９に示すように、ねじ部４４ａの中程に形成された凹部４４ｄに回転自在に取り付けられている。
【００２５】
また、平面部４３ｄには、図７に示すように、指示部４５ａによって示される目盛４３ｇが設けられている。目盛４３ｇは、孔版印刷装置６０の印刷速度に比例して変化する用紙搬送ユニット６７の排紙速度に対応して設けられており、指示部４５ａが目盛４３ｇの「１」を指したときにはエンドフェンス本体７７が図１０に符号Ａで示す位置に、指示部４５ａが目盛４３ｇの「３」を指したときにはエンドフェンス本体７７が図１０に符号Ｂで示す位置に、指示部４５ａが目盛４３ｇの「５」を指したときにはエンドフェンス本体７７が図１０に符号Ｃで示す位置にそれぞれ位置決めされる。
【００２６】
上述の構成により、つまみ部４４ｂを回してエンドフェンス本体７７の傾きを変化させることができる。このエンドフェンス本体７７の傾きは、用紙３がエンドフェンス本体７７に衝突したときの衝撃吸収の度合いに関係し、図１０に符号Ａで示すようにエンドフェンス本体７７が最も排出方向上流側に位置するときは衝撃の吸収の度合いが少なく、符号Ｃで示すようにエンドフェンス本体７７が最も排出方向下流側に位置するときは衝撃の吸収が多い。
このことから、用紙搬送ユニット６７の排紙速度が最も低速である第１速の場合には、エンドフェンス本体７７を図１０に符号Ａで示す位置に位置決めさせることで、衝撃が吸収されすぎてしまうことで落下の際に用紙３が先端から落下しなくなることに起因する排紙揃えの悪化の発生を、適度に衝撃を吸収することにより防止することができる。
また、用紙搬送ユニット６７の排紙速度が最も高速である第５速の場合には、エンドフェンス本体７７を図１０に符号Ｃで示す位置に位置決めさせることで、衝撃が吸収されずに用紙３が跳ね返ったり撓んだりしてしまうことに起因する排紙揃えの悪化を、確実に衝撃を吸収することにより防止することができる。
【００２７】
図１１及び図１２に基づいて第２の実施形態を説明する。なお、上記実施形態と同一部分は同一符号で示し、特に必要が無い限り既にした構成上及び機能上の説明は省略して要部のみ説明する。本実施形態では、エンドフェンス本体７７の回転と角度調整を自動化したことを特徴としている。
図１１に示すように、本実施形態におけるエンドフェンス８２は、角度調整機構８３と、回転機構８４を有している。
図１２に示すように、角度調整機構８３は、角度調整ブラケット５３、角度調整軸５４、ステッピングモータ５５等を有している。
【００２８】
回転基準ブラケット１０の裏面側には角度調整ブラケット５３が取り付けられている。金属板を断面Ｓ字形状に折り曲げて形成された角度調整ブラケット５３は取付部５３ａを有しており、この取付部５３ａを回転基準ブラケット１０の裏面にねじ止め、接着等の適宜の方法によって固定されている。
角度調整ラケット５３の上面５３ｂにはピニオン５５ａを有するステッピングモータ５５が取り付けられており、上面５３ｂと平行な中面５３ｃには角度調整軸５４を回転自在に支持する軸受５３ｄが、平面部５３ｅには窓部５３ｆが、下面５３ｇには角度調整軸５４が貫通する図示しない穴部がそれぞれ設けられている。
【００２９】
角度調整軸５４は、外周面に雄ねじを形成されたねじ部５４ａと、ねじ部５４ａが螺合する雌ねじを形成された軸部５４ｂとを有しており、ねじ部５４ａを角度調整ブラケット５３の軸受５３ｄに支持された状態で軸部５４ｂの先端をエンドフェンスブラケット７８の上面に当接させている。
ねじ部５４ａの上端部にはピニオン５５ａに噛合するギヤ５６が、軸部５４ｂの上端部には窓部５３ｆに嵌入する指標５８がそれぞれ一体的に設けられている。また平面部５３ｅには、指標５８の初期位置を検知するホームポジションセンサ５９が設けられている。
【００３０】
上述の構成より、ステッピングモータ５５を作動させてその回転駆動力をピニオン５５ａ、ギヤ５６を介して角度調整軸５４に伝達させ、ねじ部５４ａを軸部５４ｂにねじ込み、ねじ部５４ａの軸部５４ｂへのねじ込み量を小さくするとエンドフェンス本体７７が図１２において時計回り方向に傾き、ねじ部５４ａの軸部５４ｂへのねじ込み量を大きくするとエンドフェンス本体７７が図１２において反時計回り方向に傾く。
従って、例えば図１０に符号Ａで示す位置にエンドフェンス本体７７が位置するときに指標５８がホームポジションセンサ５９に検知されるように設定し、孔版印刷装置６０から印刷速度信号を受けてステッピングモータ５５を作動させることにより、第１の実施形態と同様に用紙搬送ユニット６７からの用紙３の排紙速度に応じてエンドフェンス本体７７の位置を制御することができ、第１の実施形態と同様の作用効果を自動的に得ることができる。
【００３１】
排紙台７４上における用紙３の積載枚数に応じてステッピングモータ５５を作動させ、エンドフェンス本体７７の位置を制御する構成としてもよい。この場合は、排紙台７４上への用紙３の積載枚数が増加するとエンドフェンス８２に衝突した後に排紙台７４上に積載されるまでの時間が短縮され、エンドフェンス８２による衝撃吸収が小さいと排紙揃えが悪化することから、積載枚数が増えるにつれて（例えば１００枚毎に）エンドフェンス本体７７を図１０に符号Ｃで示す位置から符号Ａで示す位置へと移動させる。これにより、排紙台７４上での用紙３の積載枚数が増えるに連れてエンドフェンス８２による衝撃吸収が大きくなり、排紙揃えを向上することができる。
図示しない操作パネルにおいて、ユーザーが任意にエンドフェンス本体７７の角度を入力設定し、これに基づいて角度調整機構８３を自動的に動作させるようにしてもよい。
【００３２】
回転機構８４は、エンドフェンス本体７７に固定されたステッピングモータ３０と、ステッピングモータ３０の回転軸に固定された駆動ギヤ３１と、回転基準ブラケット１０に固定された、上面にフランジを有するスリット付軸３２と、スリット付軸３２のフランジ上面に一体に形成された、駆動ギヤ３１と噛み合う小径の固定ギヤ３３と、エンドフェンス本体７７に固定され、スリット付軸３２のスリットを検知して基準位置を検知する位置センサ３４等を有している。
ステッピングモータ３０の駆動ギヤ３１は固定ギヤ３３の回りを自転しながら公転し、これによりエンドフェンス本体７７の回転がなされる。エンドフェンス本体７７の回転に伴って位置センサ３４も回転し、スリット付軸３２のフランジに形成された図示しないスリットを検知することにより基準位置検知が可能となる。
エンドフェンス本体７７の衝撃吸収部材７７Ａ〜７７Ｄを用紙情報に基づいて自動的に切り換えるときは、表１を対応表とした制御とする。
図示しない操作パネルにおいて、ユーザーが任意にエンドフェンス本体７７の一つの面を指定し、これに基づいて回転機構８４を自動的に動作させるようにしてもよい。
【００３３】
【表１】
2007204213.tif 000003
【００３４】
上記各実施形態では、用紙のサイズに応じてエンドフェンス本体７７を回転させる構成としたが、図１３に示すように、エンドフェンス本体７７を断面正方形の四角柱とし、各面の弾性率を異ならせ（例えば７７Ａ＞７７Ｂ＞７７Ｃ＞７７Ｄ）、同じサイズの用紙において用紙の種類毎に段階的に衝撃吸収性を変えるようにしてもよい。
【図面の簡単な説明】
【００３５】
【図１】本発明の第１の実施形態における画像形成装置としての孔版印刷装置の概要構成図である。
【図２】エンドフェンスを示す図で（ａ）は平面図、（ｂ）はｂ−ｂ線での概要断面図、（ｃ）はｃ−ｃ線での概要断面図である。
【図３】図２（ｃ）の要部拡大図である。
【図４】エンドフェンスの回転動作を示す模式図である。
【図５】エンドフェンスを回転したときの変化を示す図３相当図である。
【図６】エンドフェンスを小さいサイズの用紙に対応させたときの図で（ａ）は図２（ｂ）相当図、（ｂ）は図２（ｃ）相当図である。
【図７】角度調整機構の概要側面である。
【図８】角度調整機構における角度調整ねじの斜視図である。
【図９】角度調整ねじの要部斜視図である。
【図１０】角度調整機構によるエンドフェンス本体の変位状態を示す図である。
【図１１】第２の実施形態におけるエンドフェンスを示す図で、（ａ）は図２（ｂ）相当図、（ｂ）は図２（ｃ）相当図である。
【図１２】図１１（ｂ）の要部拡大図である。
【図１３】他の例を示す概要平面図である。
【図１４】従来の排紙収納装置の斜視図である。
【図１５】従来の排紙収納装置における問題点を説明する模式図である。
【符号の説明】
【００３６】
１２  垂直軸としての回転基準軸
６８  排紙収納装置
７４  排紙台
７５、８２  エンドフェンス
７６Ａ、７６Ｂ  サイドフェンス
７７ａ、７７ｂ、７７ｃ、７７ｄ  面としての突き当て面
７７Ａ、７７Ｂ、７７Ｃ、７７Ｄ  衝撃吸収部材
７９、８３  角度調整機構
【図１】
2007204213.tif 000004
【図２】
2007204213.tif 000005
【図３】
2007204213.tif 000006
【図４】
2007204213.tif 000007
【図５】
2007204213.tif 000008
【図６】
2007204213.tif 000009
【図７】
2007204213.tif 000010
【図８】
2007204213.tif 000011
【図９】
2007204213.tif 000012
【図１０】
2007204213.tif 000013
【図１１】
2007204213.tif 000014
【図１２】
2007204213.tif 000015
【図１３】
2007204213.tif 000016
【図１４】
2007204213.tif 000017
【図１５】
2007204213.tif 000018